(57)【要約】      （修正有）【課題】スプリンクラ消火設備の制御盤をユニット化し、火災受信機と一体にした自動火災報知消火システムを提供する。【解決手段】火災を検出すると火災信号を出力する火災感知器５と、火災感知器からの火災信号を受信すると、火災警報を行う火災受信機１と、防護領域内に消火用の水を散布するスプリンクラヘッド９と、防護領域内で発生した火災の熱によって動作すると、開閉信号を出力するコーンシールド１１と、スプリンクラヘッドに消火用の水を供給する消火設備制御部１３と、を備えた自動火災報知消火システムにおいて、消火設備制御部は、火災受信機と一体に設けられたことを特徴とするものである。【選択図】図１
2016140414.tif 000002
【特許請求の範囲】
【請求項１】
防護領域の天井面に設けられ、火災を検出すると火災信号を出力する火災感知器と、
該火災感知器からの火災信号を受信すると、火災警報を行う火災受信機と、
前記防護領域の天井面に設けられ、前記防護領域内に消火用の水を散布するスプリンクラヘッドと、
該スプリンクラヘッドを覆うように設けられ、前記防護領域内で発生した火災の熱によって動作すると、開閉信号を出力するコーンシールドと、
該コーンシールドからの開閉信号を受信すると、前記スプリンクラヘッドに前記消火用の水を供給する消火設備制御部と、を備えた自動火災報知消火システムにおいて、
前記消火設備制御部は、前記火災受信機と一体に設けられたことを特徴とする自動火災報知消火システム。
【請求項２】
前記火災受信機は、前記火災感知器からの火災信号、及び前記コーンシールドからの開閉信号を受信する火災信号受信部を備え、
前記消火設備制御部は、電動弁に開閉信号を送信する開閉信号送信部を備え、
前記火災信号受信部と前記開閉信号送信部は、互いの信号が干渉しないように、それぞれ独立させたことを特徴とする請求項１記載の自動火災報知消火システム。
【発明の詳細な説明】
【技術分野】
【０００１】
本発明は、火災発生時に火災感知器によって火災を検出すると、火災警報を行う火災受信機と、火災の熱によってコーンシールドが動作するとスプリンクラヘッドから水を放水して消火するスプリンクラ消火設備の制御盤を一体にした自動火災報知消火システムに関するものである。
【背景技術】
【０００２】
従来、１０００ｍ２未満の小規模福祉施設等において設置される消防設備は、自動火災報知システムと、水道連結型スプリンクラ消火システムで構成されている。
このような設備において、通常自動火災報知システムに用いられる火災受信機と、スプリンクラ消火システムに用いられるスプリンクラ制御盤は、管理室等にそれぞれ別体で設置されている（例えば、特許文献１参照）。
さらに、近年の法律改正に伴い、後からスプリンクラ制御盤を管理室等に設置する場合が増えている。
【先行技術文献】
【特許文献】
【０００３】
【特許文献１】特開２００８−２７２０９４号公報
【発明の概要】
【発明が解決しようとする課題】
【０００４】
これらの小規模福祉施設等において、火災時や誤作動時の消防設備の操作は火災や消防設備に対する知識や経験が乏しいスタッフにより行われることが多く、管理室に複数の火災受信機やスプリンクラ制御盤が設置されていると、どこを操作してよいかわからず、対応が遅れる虞がある。
【０００５】
本発明は、前記のような課題を解決するためになされたもので、スプリンクラ消火設備の制御盤をユニット化し、火災受信機と一体にした自動火災報知消火システムを提供することを目的とする。
【課題を解決するための手段】
【０００６】
本発明は、防護領域の天井面に設けられ、火災を検出すると火災信号を出力する火災感知器と、火災感知器からの火災信号を受信すると、火災警報を行う火災受信機と、防護領域の天井面に設けられ、防護領域内に消火用の水を散布するスプリンクラヘッドと、スプリンクラヘッドを覆うように設けられ、防護領域内で発生した火災の熱によって動作すると、開閉信号を出力するコーンシールドと、コーンシールドからの開閉信号を受信すると、スプリンクラヘッドに消火用の水を供給する消火設備制御部と、を備えた自動火災報知消火システムにおいて、消火設備制御部は、火災受信機と一体に設けられたことを特徴とするものである。
【発明の効果】
【０００７】
本発明によれば、火災受信機とスプリンクラ消火設備の制御盤を一体化したので、設置時に必要なスペースを減らすことができるとともに、例えば、火災時や誤作動時に必要な操作を共通化することによって、特に判別することなく操作できる。これにより、火災や消防設備に対する知識や経験に乏しいスタッフであっても、即座に対応できるようになる。
【図面の簡単な説明】
【０００８】
【図１】本発明の実施形態を示す図であり、自動火災報知設備とスプリンクラ消火設備からなる自動火災報知消火システムの系統図である。
【図２】本発明の実施形態を示す図であり、火災時における本自動火災報知消火システムのフロー図である。
【発明を実施するための形態】
【０００９】
本発明の実施形態を図１に基づき説明する。自動火災報知消火システム１００の構成について説明する。自動火災報知消火システム１００は、火災受信機１と、火災通報装置３と、火災感知器５と、電動弁７と、スプリンクラヘッド９と、コーンシールド１１と、消火設備制御部１３とを備える。
【００１０】
火災受信機１は、主に小規模福祉施設等の建物に設けられた管理室に設置されている。
火災受信機１は、例えば防護領域Rごとに火災を監視するP型受信機であり、各信号線２を介して火災通報装置３、火災感知器５、電動弁７、及びコーンシールド１１と電気的に接続されている。
【００１１】
より詳細に述べると、火災受信機１は、火災感知器５からの火災信号、及びコーンシールド１１からの開閉信号を受信する火災信号受信部を備え、火災信号受信部は火災感知器５およびコーンシールド１１と信号線２を介して接続されている。そして、火災感知器５からの火災信号を受信すると、火災受信機１から火災警報を行うと共に、信号線２を介して接続された火災通報装置３に火災信号を送信し、火災通報装置３から外部へ火災通報を行うものである。
【００１２】
また、火災受信機１は、火災信号受信部を介してコーンシールド１１からの開閉信号を受信すると、スプリンクラヘッド９に消火用の水を供給する消火設備制御部１３を備えたものである。この消火設備制御部１３は、ユニット化されて火災受信機１の筐体内に組み込まれて、火災受信機１と一体化されている。
【００１３】
より詳細に述べると、消火設備制御部１３は、電動弁７に開閉信号を送信する開閉信号送信部を備え、火災受信機１が火災信号受信部によってコーンシールド１１からの開閉信号を受信すると、開閉信号送信部から電動弁７に開閉信号を送信し、電動弁７を開き、スプリンクラヘッド９に消火用の水を供給するものである。
【００１４】
そして、火災信号受信部と開閉信号送信部は、互いの信号が干渉しないように、それぞれ独立して火災受信機１に一体に設けられたものとなっている。
【００１５】
また、火災受信機１は、火災感知器の動作や、防排煙設備等の被制御装置等の動作、及び消火設備の動作を表示する図示しない表示灯を備え、表示灯の点灯、点滅により動作結果を区別して表示可能なものとしている。
【００１６】
さらに火災受信機１は、図示しない操作部を備えている。この操作部は、従来別々の盤に設けられていた火災受信機の操作部と消火設備制御盤の操作部とを一元化したものである。この操作部は、押しボタン等によって構成され、火災時や誤作動時に必要な操作の一部、例えば警報停止操作、火災復旧操作など、火災受信機１の操作と消火設備制御部１３の操作の間で一部共通化されている。
【００１７】
火災通報装置３は、小規模福祉施設等で火災が発生したことを外部に通報する装置であり、火災受信機１から火災信号を受信すると、例えば地域の消防署や警備会社等に火災が発生した旨を自動で通報するものとなっている。
【００１８】
火災感知器５は、防護領域Rの天井面に設けられ、火災を検出すると信号線２を介して火災受信機１の火災信号受信部に火災信号を出力するものである。
【００１９】
電動弁７は、電動弁７の１次側と２次側で水が流入しないように常時閉鎖状態で給水用配管１０に設けられ、給水用配管１０を介して１次側を水道管等の給水本管に、２次側をスプリンクラヘッド９にそれぞれ接続されている。さらに電動弁７は、火災受信機１に設けられた消火設備制御部１３の図示しない開閉信号送信部と信号線２を介して接続されており、火災受信機１がコーンシールド１１からの開閉信号を受信すると、開閉信号送信部は電動弁７に開閉信号を送信し、電動弁７は開閉信号送信部から開閉信号を受信すると、電動弁７を開放してスプリンクラヘッド９に消火用の水を供給する。
【００２０】
スプリンクラヘッド９は、例えば図示しない弁体によって常時閉鎖された閉鎖型スプリンクラヘッドが用いられ、給水用配管１０の先端側に設けられている。
【００２１】
さらにスプリンクラヘッド９は、火災の熱によって弁体が開いた後、電動弁７が開くことで、給水用配管１０から消火用の水が供給されると、所定の散水半径で防護領域R内に消火用の水を散布するものである。
【００２２】
コーンシールド１１は、各スプリンクラヘッド９ひとつひとつをそれぞれ覆うように設けられ、火災の熱によってはんだ等が溶解することによって動作するものとなっている。
このコーンシールド１１は、信号線２を介して火災受信機１に設けられた火災信号受信部と接続されており、火災の熱によってはんだが溶解すると、内部に備えたばねによって天井面から離れる。この時、コーンシールド１１内の接点が動作することで、信号線２を介して火災受信機１の火災信号受信部に開閉信号を送信する。
【００２３】
次に、本発明の消火設備における動作フローのみを図２に基づき説明する。
まず始めに、防護領域Rにて火災が発生すると（Ｓｔｅｐ１）、火災の熱によって天井面に設けられたコーンシールド１１が作動し（Ｓｔｅｐ２）、スプリンクラヘッド９が露出する。
【００２４】
コーンシールド１１が作動すると、火災受信機１は信号線２を介して火災信号受信部によってコーンシールド１１からの開閉信号を受信する（Ｓｔｅｐ３）。
【００２５】
火災受信機１は、火災信号受信部によってコーンシールド１１からの開閉信号を受信すると、消火設備制御部１３の開閉信号送信部から信号線２を介して電動弁７に開閉信号を送信する（Ｓｔｅｐ４）。この時、火災信号受信部と開閉信号送信部はそれぞれ独立して設けられているので、互いの信号が干渉しないものとなっている。
【００２６】
電動弁７は、消火設備制御部１３の開閉信号送信部から送信された開閉信号を受信すると、常時閉状態となっている弁を開き、開放状態とする（Ｓｔｅｐ５）。
【００２７】
電動弁７が開放状態となると、給水用配管１０を介して水道管から消火用の水が給水され、給水用配管１０内が充水される（Ｓｔｅｐ６）。
【００２８】
火災の熱によってスプリンクラヘッド９の半田が溶解すると、図示しない弁体が下がり、スプリンクラヘッド９が作動する（Ｓｔｅｐ７）。
【００２９】
水道管から給水された消火用の水は、作動したスプリンクラヘッド９から放出され、放水が開始される（Ｓｔｅｐ８）。
【００３０】
このように本発明の自動火災報知消火システム１００は、防護領域Rの天井面に設けられ、火災を検出すると火災信号を出力する火災感知器５と、該火災感知器５からの火災信号を受信すると、火災警報を行う火災受信機１と、前記防護領域Rの天井面に設けられ、前記防護領域R内に消火用の水を散布するスプリンクラヘッド９と、該スプリンクラヘッド９を覆うように設けられ、前記防護領域内で発生した火災の熱によって動作すると、開閉信号を出力するコーンシールド１１と、該コーンシールド１１からの開閉信号を受信すると、前記スプリンクラヘッド９に前記消火用の水を供給する消火設備制御部１３と、を備えた自動火災報知消火システム１００において、前記消火設備制御部１３は、前記火災受信機１と一体に設けられたので、設置時に必要なスペースを減らすことができるとともに、例えば、火災時や誤作動時に必要な操作を共通化することによって、特に判別することなく操作できる。
【００３１】
また本発明の自動火災報知消火システム１００の前記火災受信機１は、前記火災感知器５からの火災信号、及び前記コーンシールド１１からの開閉信号を受信する火災信号受信部を備え、前記消火設備制御部１３は、電動弁７に開閉信号を送信する開閉信号送信部を備え、前記火災信号受信部と前記開閉信号送信部は、互いの信号が干渉しないように、それぞれ独立させたので、誤作動が防止できるという効果が得られる。
【符号の説明】
【００３２】
１  火災受信機、２  信号線、３  火災通報装置、５  火災感知器、７  電動弁、９  スプリンクラヘッド、１０  給水用配管、１１  コーンシールド、１３  消火設備制御部、R  防護領域。
【図１】
2016140414.tif 000003
【図２】
2016140414.tif 000004